(57)【特許請求の範囲】
【請求項１】
取付穴を備えたガラス製のガラスブロックを法面・地山面の表面上に複数縦横に配置し、前記取付穴にアンカーを貫通させて前記ガラスブロックを前記表面に固定し、複数のガラスブロックで法面・地山面補強体を構築して前記表面を保護・安定させるようにし、しかもガラスブロックの底面に凹形状部分を設け、同凹形状部分に密封した袋体を設け、同袋体の内部と連通する注入口を設け、同注入口より袋体内にモルタルを流し込んでガラスブロックと法面の間のすきまを埋めるようにした法面・地山面保護構造。
【請求項２】
法面・地山面の表面をネットで覆い、取付穴を複数備えたガラス製のガラスブロックをネット上に複数縦横に配置し、取付ピンを前記取付穴と前記ネットに貫通させて前記ガラスブロックと前記ネットを連結し、アンカーを別の取付穴と前記ネットに貫通させて法面・地山面深くまで打ち込んで前記ガラスブロックと前記ネットを前記表面に固定し、ネットと複数のガラスブロックで法面・地山面補強体を構築して前記表面を保護・安定させるようにした法面・地山面保護構造。
【請求項３】
複数のガラスブロックを線材で縦横に連結した請求項１〜２いずれかに記載の法面・地山面保護構造。
【請求項４】
複数のガラスブロックを連結具で縦横に連結した請求項１〜２いずれかに記載の法面・地山面保護構造。
【請求項５】
縦横のガラスブロックで覆われない法面・地山面の表面部分に植物を植生した請求項１〜４いずれかに記載の法面・地山面保護構造。
【請求項６】
ガラスブロックに線材の通過する貫通穴を設け、線材を前記貫通穴に貫通させてはり渡して前記ガラスブロックを縦横に連結するようにした請求項３記載の法面・地山面保護構造。
【請求項７】
ガラスブロックの表面に人間との接触で傷つけない微細な凹凸を設けて苔がガラスブロックの表面に付着しやすいようにした請求項１〜６いずれかに記載の法面・地山面保護構造。
【発明の詳細な説明】
【０００１】
【発明の属する技術分野】
本発明は、地盤の法面・切土・垂直壁面（明細書中法面と総称する）にガラスブロックを固定して法面・地山面補強体を構築して法面が崩壊・崩落しないように安定・保護する法面・地山面保護構造に関する。また、河川における根固、床止、駐車場敷設等にも使用することができる。
【０００２】
【従来の技術】
従来において、法面が崩壊・崩落しないように安定・保護させるには、法面に植物を植えたり、コンクリートで法面を覆ったりしていた。植物を法面に植えるものは、植物の根が十分にはらないと法面が安定しないため、時間が必要であった。また、コンクリートで法面を覆うものは、コンクリートの施工に期日とコストがかかっていた。また、機械の搬入が難しい場合には施工が困難となっていた。また使用するコンクリート物は重いため、運搬・施工は大変であった。また、法面の保護に自然石を用いる場合には、自然石の採石による自然破壊が問題となっていた。
【０００３】
【発明が解決しようとする課題】
本発明が解決しようとする課題は従来のこれらの問題を解消し、容易に運搬・施工を行うことができ、法面の起伏に対応でき、コストを抑制でき、再自然化を促進できる法面・地山面保護構造を提供することにある。
【０００４】
【課題を解決するための手段】
かかる課題を解決した本発明の構成は、
１）  取付穴を備えたガラス製のガラスブロックを法面・地山面の表面上に複数縦横に配置し、前記取付穴にアンカーを貫通させて前記ガラスブロックを前記表面に固定し、複数のガラスブロックで法面・地山面補強体を構築して前記表面を保護・安定させるようにし、しかもガラスブロックの底面に凹形状部分を設け、同凹形状部分に密封した袋体を設け、同袋体の内部と連通する注入口を設け、同注入口より袋体内にモルタルを流し込んでガラスブロックと法面の間のすきまを埋めるようにした法面・地山面保護構造
２）  法面・地山面の表面をネットで覆い、取付穴を複数備えたガラス製のガラスブロックをネット上に複数縦横に配置し、取付ピンを前記取付穴と前記ネットに貫通させて前記ガラスブロックと前記ネットを連結し、アンカーを別の取付穴と前記ネットに貫通させて法面・地山面深くまで打ち込んで前記ガラスブロックと前記ネットを前記表面に固定し、ネットと複数のガラスブロックで法面・地山面補強体を構築して前記表面を保護・安定させるようにした法面・地山面保護構造
３）  複数のガラスブロックを線材で縦横に連結した前記１）〜２）いずれかに記載の法面・地山面保護構造
４）  複数のガラスブロックを連結具で縦横に連結した前記１）〜２）いずれかに記載の法面・地山面保護構造
５）  縦横のガラスブロックで覆われない法面・地山面の表面部分に植物を植生した前記１）〜４）いずれかに記載の法面・地山面保護構造
６）  ガラスブロックに線材の通過する貫通穴を設け、線材を前記貫通穴に貫通させてはり渡して前記ガラスブロックを縦横に連結するようにした前記３）記載の法面・地山面保護構造
７）  ガラスブロックの表面に人間との接触で傷つけない微細な凹凸を設けて苔がガラスブロックの表面に付着しやすいようにした前記１）〜６）いずれかに記載の法面・地山面保護構造
にある。
【０００５】
【作用】
本発明では、ガラス製のガラスブロックで法面・地山面補強体を構築する。まず、法面・地山面の表面上に複数のガラスブロックを縦横に配置し、アンカーをガラスブロックの取付穴に貫通させて法面・地山面に打ち込むようにしてガラスブロックを固定する。このようにして法面・地山面の表面上に法面・地山面補強体を構築して法面・地山面の表面をガラスブロックで覆って法面・地山面を保護し、アンカーで法面・地山面に固定されたガラスブロックが法面・地山面の表土の流出に対して堰となるようにする。
ガラスブロックの底面に凹形状部分を設け、凹形状部分に密封した袋体を設け、袋体の内部と連通する注入口を設けたものは、注入口から袋体内にモルタルを流し込んでガラスブロックと法面・地山面の間のすきまを埋めるようにする。
ネットとガラスブロックで法面・地山面補強体を構築したものは、まず、法面・地山面上をネットで覆い、ガラス製のガラスブロックをネット上に複数縦横に配置し、取付ピンを取付穴とネットに貫通させてガラスブロックとネットを連結する。さらにアンカーを別の取付穴とネットに貫通させて法面・地山面深くまで打ち込んでガラスブロックとネットを法面・地山面に固定する。このようにして法面・地山面の表面に法面・地山面補強体を構築して法面・地山面の表面をネット及びガラスブロックで覆って法面・地山面を保護する。
複数のガラスブロックを線材で縦横に連結したものと複数のガラスブロックを連結具で縦横に連結したものは、ガラスブロックが法面・地山面に対して浮き上がらないようにし、また、一つのガラスブロックが受ける力を縦横に分散して強く法面・地山面を安定できるようにする。
縦横のガラスブロックで覆われない法面・地山面の表面部分に植物を植生したものは、法面を植物の植生した自然な地面とし、かつ植物の根をはらせることによって法面をさらに安定させる。
ガラスブロックに線材の通過する貫通穴を設けたものは、一本ものの線材にガラスブロックを取り付けることができるようにする。
ガラスブロックの表面に微細な凹凸を設けたものは、ガラスブロックの表面に苔が付着しやすいようにして法面の再自然化を促進する。また、微細な凹凸にすることで人が傷つかないようにする。
【０００６】
【発明の実施の形態】
本発明は法面だけに用いるものではなく、河川における根固、床止、駐車場敷設等にも用いることができる。
本発明の法面・地山面保護構造に用いるガラスブロックは、家庭や商店などから回収したガラスビンを破砕・焼成・成型して製造することができる。このように製造して資源の再利用を行うのが望ましい。
ガラスブロックの形状はどのようなものでもよいが、施工時及び施工後に作業者等がケガなどすることがないように緩やかな外形形状のものが好ましい。
また、内部を中空となる形状にしてさらに軽量にしてもよい。
線材としては、ピアノ線や金属製のワイヤーなどがあり、強度、耐食性に優れたものが好ましい。
【０００７】
【実施例】
本発明の各実施例について図面を参照して具体的に説明する。
実施例１（図１〜９参照）
図１〜９に示す実施例１は、ネットと複数のガラスブロックで法面・地山面補強体を構築し、複数のガラスブロックを線材で縦横に連結し、縦横のガラスブロックで覆われない法面の表面部分に植物を植生し、ガラスブロックに線材の貫通する貫通穴を設け、ガラスブロックの表面に微細な凹凸を設けた法面・地山面保護構造の例である。
図１は実施例１の法面・地山面保護構造の説明図である。図２は実施例１の法面・地山面保護構造の説明図である。図３は図２のＡ−Ａ断面図である。図４は実施例１の法面・地山面保護構造のガラスブロックの平面図である。図５は図４のＢ−Ｂ断面図である。図６は実施例１の法面・地山面保護構造のガラスブロックの製造方法を示す説明図である。図７は実施例１の法面・地山面保護構造の構築過程を示す説明図である。図８は実施例１の法面・地山面保護構造の説明図である。図９は実施例１の法面・地山面保護構造の応用例を示す説明図である。
図中、１は法面・地山面補強体、２はガラスブロック、２ａは取付穴、２ｂは貫通穴、３はネット、４は取付ピン、５はアンカー、６はワイヤー、７はピアノ線、８は土台、ａは法面、ｈは人、Ｐは植物、ｗは水である。
【０００８】
実施例１では、ネットと複数のガラスブロックで法面・地山面補強体を構築する。
ガラスブロック２は、図６に示すように使用済のガラスビンを回収し、回収したガラスビンを細く破砕し、焼成・成型して製造される。このようにして回収したガラスビンを原料にすることで資源の再利用に寄与し、採石の増加を防止して自然保護に寄与する。実施例１の法面・地山面保護構造のガラスブロックは、回収したガラスビンを縦・横・巾が８ｍｍ以下となるように破砕し、破砕したガラスの粒を型に入れて焼き、ガラスの粒の表面を溶融させて固めたものである。よって、ガラスブロック２には、微細な隙間が多数存在し、表面には微細な凹凸が存在することになる。また、ガラスの粒のそれぞれの表面が溶融することによって角部が丸みをおびた形状になる。
また、このようにして製造されるガラスカレットの圧縮強度は、９８〜１５７Ｎ／ｍｍ2 であり、従来、法面の保護に使用されてきた自然石である花崗岩（みかげ石）の圧縮強度：１２７〜１９６Ｎ／ｍｍ2 ，安山岩（白丁場その他）の圧縮強度：６９〜１７７Ｎ／ｍｍ2 を考慮すると、ガラスカレットの圧縮強度は法面の保護に使用されていた自然石同程度であり、十分な強度を有する。よって自然石の採石による自然破壊を抑制できる。
また、コンクリートの廃材の再利用に比べるとコストを低く抑えることができる。ガラスブロック２は、図４，５に示すように左右の楕円を中央でやや細くつないだ形状になっている。このガラスブロック２を左右に貫通するように貫通穴２ｂを設ける。次に左右の楕円形状の上下に前後に貫通した取付穴２ａを設ける。
【０００９】
ネット３は、その目の中に植物を植えることができるくらいの大きさの目を持つもので、雨などで極端に変形や劣化を生じない材質のものである。
実施例１の法面・地山面補強体１を法面に構築するには、図７，８に示すように、まず法面ａをネット３で覆う。次にネット３上に複数のガラスブロック２を縦横に配置する。次に、図１に示すようにガラスブロック２の取付穴２ａと網状のネット３を取付ピン４が貫通するようにして取り付ける。取付ピン４の片端には径が大きい部分を設け、もう一方の端部分は、ガラスブロック２とネット３を貫通後に径が大きい部分を取り付けるようにしてガラスブロック２とネット３を取付ピン４で取り付ける。この取付ピン４は、縦横にガラスブロック２を配置することで縦横に配置されるガラスブロック２の取付穴２ａの縦の三つに取付ピン４を取り付けたならば、一つはあけておくようにする。次に、取付ピン４を取り付けていないガラスブロック２の取付穴２ａとネット３にアンカー５を貫通させて法面ａの地中深くにアンカー５の先端が到達し、アンカー５の上端の径を大きくした部分がガラスブロック２の上部に当たるまで打ち込んで、ガラスブロック２とネット３を法面ａに取り付ける。次に図３に示すようにガラスブロック２の下側から左側の取付穴２ａにピアノ線７を貫通させ、右側の取付穴２ａに向かうようピアノ線７を行き渡らせ、取付穴２ａの上部から下方に向ってピアノ線７を貫通させ、同様にしてさらに右側のガラスブロック２にピアノ線７を取り付けて行く、これによって図３に示すように横方向のガラスブロック２をピアノ線７で連結する。次に、図２に示すように縦に配置されたガラスブロック２の貫通穴２ｂに順にワイヤー６を貫通させて、縦方向のガラスブロック２を連結する。ワイヤー６の両端は縦に配置したガラスブロック２の最も上方に配置したものの上端及び最も下方に配置したものの下端に金具などで取り付ける。このようにして法面・地山面補強体１を法面に構築し、法面の下方の平面には、土台８を設けて作業を行いやすいようにしている。
このように法面・地山面補強体１を法面ａに構築したならば、図２，８に示すように縦横に配置したガラスブロック２同士の間の空間で露出している法面の表面に植物Ｐを植える。
【００１０】
この法面・地山面補強体１を法面ａに構築することにより、法面ａの表面は、ネット３とガラスブロック２によって覆われることになる。よって外部に対して法面ａは保護される。また、法面ａの表面が崩壊・崩落しないようにする。さらにガラスブロック２はピアノ線７，ワイヤー６によって縦横に連結されているので、ガラスブロック２の一つが浮き上ってしまうようなことはなく、またガラスブロック２にかかる力はピアノ線７，ワイヤー６によって縦横に分散される。よって強く法面ａを安定させることができる。
また、実施例１の法面・地山面補強体１に用いたガラスブロック２は比較的軽いので人が持ち運ぶことができ施工が容易で大きな機械を搬入することができないような場所でも施工することができる。ガラスブロック２の表面には凹凸を設けているが、微細であり、全体としてはなめらかでガラスブロック２を構成するガラスの粒はそれぞれ表面が溶融して丸みをおび角部がないので、人の肌が触れることなどによって人が傷つくようなことはない。よって安全に作業することができる。
また、実施例１の法面・地山面補強体１はガラスブロック２が縦横にワイヤー６，ピアノ線７で連結されているので図８に示すように変化の多い法面に対応して構築することができる。よって様々な法面の状態に対応することができる。
さらにガラスブロック２はガラス製であるので法面を美しくカバーすることができ、コンクリート製品に比べアルカリ成分の流出が少なく生物・植物への影響が少ない。この複数縦横に配置されたガラスブロック２はそれぞれ小さな堰となるので、雨などによって法面の表面が流出してしまわないようにする。また、ガラスブロック２の表面には、微細な凹凸が多数設けられているので蓋が付着しやすく、法面の再自然化を促進する。ガラスブロック２同士の間には植物を植えているので年月の経過とともに法面の地中に植物が深く根をはることによって自然の力でさらに法面の崩壊・崩落を防ぐことができる。
また、本実施例１の法面・地山面補強体を構築する際には、あらかじめネット３にガラスブロック２を縦横に配置して取り付けておけば、ネット３を法面に取り付けて、アンカー５の取り付け及び必要に応じたワイヤー６，ピアノ線７の端の処理のみで法面に法面・地山面補強体１を構築することができる。また、法面から法面・地山面補強体１を除去する際には、アンカー５と、ワイヤー６，ピアノ線７の処理を行えば、ネット３ごと除去することができる。このようにして法面・地山面補強体１の構築・除去を行えば、さらに施工にかかる日数を短縮することができる。
さらに図９に示すように、本実施例１の法面・地山面補強体１は下端が川や湖などに沈んでしまうようにして使用することもできる。ガラスブロックはガラス製であるので適度な強度を持つので、河川の洗堀に耐えて水中に位置する法面であっても保護・安定させることができる。また、このガラスブロックの多数の隙間を利用して微生物を付加すれば、水質浄化に効果をもたらすことができる。ガラスブロックの表面には微細な凹凸が設けられているので、水生の苔が付着しやすいようにして水中においても法面の再自然化を促進する。
【００１１】
実施例２（図１０，１１参照）
図１０，１１に示す実施例２は、ネットを用いずにガラスブロックをアンカーで直接法面に固定するようにし、ピアノ線を用いてガラスブロックを縦横に連結した法面・地山面保護構造の例である。
図１０は実施例２の法面・地山面保護構造の説明図である。図１１は実施例２の法面・地山面保護構造の説明図である。
図中、１０はピアノ線である。
実施例２ではネットを用いず、ガラスブロック２をアンカー５によって法面に直接取り付けるようにし、ピアノ線７，１０によってガラスブロック２を縦横に連結している。このようにネットを用いずにガラスブロック２を直接法面に取り付けるようにしてもよい。
その他、符号、構成、作用、使い方は実施例１と同じである。
【００１２】
実施例３（図１２，１３参照）
図１２，１３に示す実施例３は、複数のガラスブロックを連結具で縦横に連結した法面・地山面保護構造の例である。
図１２は実施例３の法面・地山面保護構造の説明図である。図１３は実施例３の法面・地山面保護構造の説明図である。
図中、１２は連結具である。
実施例３では図１２，１３に示すように法面に複数縦横に配置したガラスブロック２の横方向をピアノ線７で連結し、縦方向を連結具１２でガラスブロック２とガラスブロック２をかけ渡すようにして連結している。このように連結具を用いてガラスブロック同士を確実に連結して、強く法面を安定させることができるようにしてもよい。
その他符号、構成、作用、使い方は実施例１と同じである。
【００１３】
実施例４（図１４〜１７参照）
図１４〜１７に示すのは、ガラスブロックの底面に凹形状部分を設け、凹形状部分に密封した袋体を設け、袋体の内部と連通する注入口を設けた法面・地山面保護構造の例である。
図１４は実施例４の法面・地山面保護構造のガラスブロックの平面図である。図１５は図１４のＣ−Ｃ断面図である。図１６は実施例４の法面・地山面保護構造のガラスブロックの底面図である。図１７は実施例４の法面・地山面保護構造の使用状態を示す説明図である。
図中、１５はガラスブロック、１５ａは取付穴、１５ｂは貫通穴、１５ｃは凹形状部分、１６は袋体、１６ａは注入口、１６ｂは取付紐、１７はピアノ線、１８はアンカー、１９はピンである。
実施例４の法面・地山面保護構造では、ガラスブロック１５の底面に凹形状部分１５ｃを設け、凹形状部分１５ｃ内に袋体１６を設ける。袋体１６には延長した注入口１６ａを設け、注入口１６ａの先端はガラスブロック１５の外側に突出するようにする。また、袋体１６は中央に上下に貫通する貫通穴部分を設けている。
袋体１６の四隅には取付紐１６ｂが設けられ、ピン１９でガラスブロック１５の底面に取り付けられている。
このガラスブロック１５を法面に配置し、アンカー１８でガラスブロックの貫通穴１５ｂと袋体１６の貫通穴部分を貫通させて土中に差し込んでガラスブロック１５を法面に固定し、ピアノ線１７をガラスブロック１５の取付穴１５ａに貫通させて複数のガラスブロックを連通して法面を保護する。
さらにガラスブロック１５の凹形状部分１５ｃに設けた袋体１６の注入口１６ａから所定量のモルタルを袋体１６内部に送り込む。袋体１６はモルタルによって膨らみ、ガラスブロック１５の底面と法面との間のすきまが埋まる。これによりガラスブロック１５と法面との間のすきまがなくなり、より確実に法面を安定させることができる。
その他符号、構成、作用、使い方は実施例１と同じである。図１８〜２１に示すのは、実施例の法面・地山面保護構造のガラスブロックの他の例である。
図中、２１はガラスブロック、２１ａは取付穴、２１ｂは貫通穴、２３はガラスブロック、２３ａは取付穴、２３ｂは貫通穴、２５はガラスブロック、２５ａは取付穴、２５ｂは貫通穴、２７はガラスブロック、２７ａは取付穴、２７ｂは貫通穴である。
このようにガラスブロックの形状はどのようなものでもよい。
【００１４】
【発明の効果】
本発明によれば、容易に運搬・施工を行うことができ、法面・地山面の表面の起伏に対応でき、コストを抑制でき、再自然化を促進できる法面・地山面保護構造にできる。
ガラスブロックの底面に凹形状部分を設け、凹形状部分に密封した袋体を設け、袋体の内部と連通する注入口を設けたものは、ガラスブロックと法面・地山面の間のすきまを埋めるようにして、さらに確実に法面を安定させることができる。
ネットとガラスブロックで法面・地山面補強体を構築したものは、さらに確実に法面・地山面を保護・安定させることができる。
複数のガラスブロックを線材又は連結具で縦横に連結したものは、強く法面・地山面を安定させることができる。
縦横のガラスブロックで覆われない法面・地山面の表面部分に植物を植生したものは、さらに安定した自然な法面・地山面にすることができる。
ガラスブロックに線材の通過する貫通穴を設けたものは、法面・地山面の変化に容易に対応できる。
ガラスブロックの表面に微細な凹凸を設けたものは、人を傷つけずかつ苔が付着しやすいようにして法面・地山面の再自然化を促進する環境に役立つ法面・地山面保護構造にできる。
【図面の簡単な説明】
【図１】実施例１の法面・地山面保護構造の説明図である。
【図２】実施例１の法面・地山面保護構造の説明図である。
【図３】図２のＡ−Ａ断面図である。
【図４】実施例１の法面・地山面保護構造のガラスブロックの平面図である。
【図５】図４のＢ−Ｂ断面図である。
【図６】実施例１の法面・地山面保護構造のガラスブロックの製造方法を示す説明図である。
【図７】実施例１の法面・地山面保護構造の構築課程を示す説明図である。
【図８】実施例１の法面・地山面保護構造の説明図である。
【図９】実施例１の法面・地山面保護構造の応用例を示す説明図である。
【図１０】実施例２の法面・地山面保護構造の説明図である。
【図１１】実施例２の法面・地山面保護構造の説明図である。
【図１２】実施例３の法面・地山面保護構造の説明図である。
【図１３】実施例３の法面・地山面保護構造の説明図である。
【図１４】実施例４の法面・地山面保護構造のガラスブロックの平面図である。
【図１５】図１４のＣ−Ｃ断面図である。
【図１６】実施例４の法面・地山保護構造のガラスブロックの底面図である。
【図１７】実施例４の法面・地山面保護構造の使用状態を示す説明図である。
【図１８】実施例の法面・地山面保護構造のガラスブロックの他の例の説明図である。
【図１９】実施例の法面・地山面保護構造のガラスブロックの他の例の説明図である。
【図２０】実施例の法面・地山面保護構造のガラスブロックの他の例の説明図である。
【図２１】実施例の法面・地山面保護構造のガラスブロックの他の例の説明図である。
【符号の説明】
１  法面・地山面補強体
２  ガラスブロック
２ａ  取付穴
２ｂ  貫通穴
３  ネット
４  取付ピン
５  アンカー
６  ワイヤー
７  ピアノ線
８  土台
９  欠番
１０  ピアノ線
１１  欠番
１２  連結具
１３  欠番
１４  欠番
１５  ガラスブロック
１５ａ  取付穴
１５ｂ  貫通穴
１５ｃ  凹形状部分
１６  袋体
１６ａ  注入口
１６ｂ  取付紐
１７  ピアノ線
１８  アンカー
１９  ピン
２０  欠番
２１  ガラスブロック
２１ａ  取付穴
２１ｂ  貫通穴
２２  欠番
２３  ガラスブロック
２３ａ  取付穴
２３ｂ  貫通穴
２４  欠番
２５  ガラスブロック
２５ａ  取付穴
２５ｂ  貫通穴
２６  欠番
２７  ガラスブロック
２７ａ  取付穴
２７ｂ  貫通穴
ａ  法面
ｈ  人
Ｐ  植物
ｗ  水
【図１】
0003706780.tif 000002
【図２】
0003706780.tif 000003
【図３】
0003706780.tif 000004
【図４】
0003706780.tif 000005
【図５】
0003706780.tif 000006
【図６】
0003706780.tif 000007
【図７】
0003706780.tif 000008
【図８】
0003706780.tif 000009
【図９】
0003706780.tif 000010
【図１０】
0003706780.tif 000011
【図１１】
0003706780.tif 000012
【図１２】
0003706780.tif 000013
【図１３】
0003706780.tif 000014
【図１４】
0003706780.tif 000015
【図１５】
0003706780.tif 000016
【図１６】
0003706780.tif 000017
【図１７】
0003706780.tif 000018
【図１８】
0003706780.tif 000019
【図１９】
0003706780.tif 000020
【図２０】
0003706780.tif 000021
【図２１】
0003706780.tif 000022